(57)【特許請求の範囲】
【請求項１】
建物内に設置された各種排水設備および建物の床下に配置されたヘッダーの複数の流入側接続部間に各排水枝管がそれぞれ接続され、
また、ヘッダーの流出側接続部および建物の外周基礎の外側地中に埋設されている排水桝の流入側接続部間に排水主管が接続され、
さらに、排水桝の流出側接続部および公共桝の流入側接続部間に排水主管が接続された住宅用排水システムであって、
前記ヘッダーは、管軸方向の両端部の一方に受け口を、他方に挿し口を有するとともに、これらの両端部の受け口および挿し口間に分岐流入側の受け口を有する複数個の９０度大曲がりＹ継手を管軸方向に順に受け口と挿し口とを接着接続して構成され、
前記９０度大曲がりＹ継手の両端部の受け口と挿し口が、下部内面の曲率半径が上部内面の曲率半径よりも小さくされた断面卵形状に形成され、
前記９０度大曲がりＹ継手の分岐流入接続部は、前記卵形断面の側部の曲率半径の大きい上部側に水平に配置されている
ことを特徴とする住宅用排水システム。
【請求項２】
前記９０度大曲がりＹ継手の分岐流入側の受け口が対向して２個形成され、一方の分岐流入側の受け口に排水枝管が接続されるとともに、他方の分岐流入側の受け口に栓体が着脱自在に装着されている
ことを特徴とする請求項１記載の住宅用排水システム。
【発明の詳細な説明】
【０００１】
【発明の属する技術分野】
本発明は、住宅用排水システムに関するものである。
【０００２】
【従来の技術】
従来、アパートなどの小規模集合住宅や個人用住宅においては、図１３に示すように、建物２内に設置されたトイレ２１、洗面所２２、洗濯機２３、浴室２４、台所２５などの各種排水設備にて発生した排水は、それぞれの排水設備に接続された各排水枝管５１を通して建物の外側に埋設配管された各排水桝６に流れ込み、この排水桝６間を接続している宅地内の排水主管３を通じて公共桝７に流れ込み、この公共桝７を経て公道下に埋設された下水本管へ排水されるようになっている。
【０００３】
ここで、宅地１内の排水主管３は、建物２の基礎４の外側に埋設配管されており、この排水主管３の曲がり部や合流部に各種タイプの排水桝６が設置されるようになっている。この排水桝６としては、例えば、ポリプロピレン樹脂製のものや硬質塩化ビニル樹脂製のものが採用されており、これらの排水桝６の立ち上がり口径は、一般的に、ポリプロピレン樹脂製のものでは約３００ｍｍ、硬質塩化ビニル樹脂製のものでは約１５０〜２００ｍｍである。
【０００４】
このような従来の排水システムでは、建物２の外郭と宅地１の境界との間に、建物２の外郭に沿って排水主管３を埋設配管するとともに、この排水主管３の途中に、各種排水設備２１〜２５に接続したそれぞれの排水枝管５１の端部が接続される排水桝６を設置するための空間が必要である。このため、宅地１の狭小化に伴って排水桝６の設置が困難になるという問題があった。
【０００５】
このような問題を解消するため、建物内の各排水設備にそれぞれ接続され、建物の床下に配管された排水枝管と、建物の外方に建物の外郭に沿って宅地内に配管され、前記排水枝管を接続する流入枝管口を有する排水桝を接続した排水管とを備え、前記排水枝管は、ほぼ同一方向に向けて建物の外側に導出して宅地内に配管された前記排水管に接続されている排水桝の流入枝管口に接続し、前記排水枝管は、建物の床下に向けて配管した縦枝管部と、床下に下流側を下方に向けた勾配をもって配管された横枝管部および縦枝管部と横枝管部とを接続する湾曲枝管部とにてそれぞれ形成し、前記各排水枝管の少なくとも各湾曲枝管部をフレキシブル管にてそれぞれ形成した住宅用の排水配管装置が提案されている（例えば、特開平１０−３３１２２１号公報参照）。
【０００６】
【発明が解決しようとする課題】
しかしながら、上述した排水配管装置の場合、各排水設備に接続された排水枝管を形成している横枝管部のそれぞれを建物の基礎を貫通させて排水桝の流入枝管口と接続させなければならない。このため、建物の基礎が局部的に強度低下を生じたり、貫通部の水密処理に手間を要するという問題があった。また、各横枝管部の端部と排水桝の流入枝管口との接続作業も工数を要するという問題があった。
【０００７】
本発明は、このような問題点に鑑みてなされたもので、狭小な宅地であっても宅地を有効に活用できるとともに、建物の外周基礎に形成する貫通孔が少なくて済み、また、掘削工事などの土工費用を大幅に削減することができる住宅用排水システムを提供するものである。
【０００８】
【課題を解決するための手段】
本発明は、建物内に設置された各種排水設備および建物の床下に配置されたヘッダーの複数の流入側接続部間に各排水枝管がそれぞれ接続され、また、ヘッダーの流出側接続部および建物の外周基礎の外側地中に埋設されている排水桝の流入側接続部間に排水主管が接続され、さらに、排水桝の流出側接続部および公共桝の流入側接続部間に排水主管が接続された住宅用排水システムであって、前記ヘッダーは、管軸方向の両端部の一方に受け口を、他方に挿し口を有するとともに、これらの両端部の受け口および挿し口間に分岐流入側の受け口を有する複数個の９０度大曲がりＹ継手を管軸方向に順に受け口と挿し口とを接着接続して構成され、前記９０度大曲がりＹ継手の両端部の受け口と挿し口が、下部内面の曲率半径が上部内面の曲率半径よりも小さくされた断面卵形状に形成され、前記９０度大曲がりＹ継手の分岐流入接続部は、前記卵形断面の側部の曲率半径の大きい上部側に水平に配置されていることを特徴とするものである。
【０００９】
本発明によれば、各種排水設備からの排水は、排水枝管を経てヘッダーに集められた後、排水主管、排水枡、排水主管および公共枡を経て下水本管に流出することから、建物の外周基礎に形成する貫通孔が少なくて済み、外周基礎の強度低下が生じない。また、排水主管は建物の床下に露出配管されているので、掘削工事などの土工費用を削減できるとともに、排水主管の部分的補修を容易に行うことができる。しかも、建物の外周基礎の外側の宅地内に埋設する排水桝は一つで済むので、材料費や施工費を削減できるとともに、建物の外周基礎の外側の宅地内に排水主管や多数の排水桝を埋設する必要がないので、狭小な宅地であっても、宅地を有効に活用できる。
【００１０】
【００１１】
【００１２】
【００１３】
また、ヘッダーが管軸方向の両端部の一方に受け口を、他方に挿し口を有するとともに、これらの両端部の受け口および挿し口間に分岐流入側の受け口を有する複数個の９０度大曲がりＹ継手を管軸方向に順に受け口と挿し口を接着接続して構成されていることにより、各種排水設備からの排水を円滑に流出させることができ、掃流性を向上させることができるとともに、全体長さが短縮されてコンパクトとなるため、設置スペースの制約が少なくなる。
【００１４】
【００１５】
本発明において、前記９０度大曲がりＹ継手の両端部の受け口と挿し口が、下部内面の曲率半径が上部内面の曲率半径よりも小さくされた断面卵形状に形成されていると、同一面積の円形状の受け口または挿し口に比較して同一流量時の水位が上昇するため、掃流性がさらに良好となる。この場合、ヘッダーの流出側接続部に接続される排水主管についても断面卵形状に形成すればよい。
【００１６】
本発明において、前記９０度大曲がりＹ継手の分岐流入側の受け口が対向して２個形成され、一方の分岐流入側の受け口に排水枝管が接続されるとともに、他方の分岐流入側の受け口に蓋体が着脱自在に装着されていると、何れか一方の分岐流入側の受け口に排水枝管を接続することができることから、配管設計の自由度が向上する。また、必要に応じて栓体を離脱させて各９０度大曲がりＹ継手の保守点検や清掃を行うことができる。
【００１７】
【発明の実施の形態】
以下、本発明の実施の形態を図面を参照して説明する。
【００１８】
図１および図２には、本発明の住宅用排水システムの一実施形態が示されている。
【００１９】
図１において、宅地１内には、建物２が建てられており、建物２の床下の外周基礎４の内側の防湿コンクリート（あるいは盛土）４６上にヘッダー８が配置されている（図３参照）。
【００２０】
このヘッダー８は、建物２内に設置されているトイレ２１、洗面所２２、洗濯機２３、浴室２４、台所２５などの排水設備からの排水を一箇所に集水して排水する機能を有するものであり、図２に示すように、硬質塩化ビニル樹脂製の５個の９０度大曲がりＹ継手８１を管軸方向に短管８３（図５参照）を介して接着接続して構成されている。そして、ヘッダー８を構成する各９０度大曲がりＹ継手８１は、図５に詳細に示すように、管軸方向の両端部に受け口８１ａを有するとともに、これらの両端部の受け口８１ａ間に分岐流入側の受け口８１ｂを有している。この場合、隣接する９０度大曲がりＹ継手８１は、その分岐流入側の各受け口８１ｂが互いに反対方向を向くように接続され、また、最上流側に接続された９０度大曲がりＹ継手８１の上流側の受け口８１ａには蓋体８２が着脱自在に
装着されている。
【００２１】
したがって、床下に作業者が入り込むか、あるいは、床面に設けた開口部（図示せず）を利用してヘッダー８の蓋体８２を離脱させ、開口した最上流側の受け口８１ａを掃除口としてヘッダー８の点検や掃除を行うことができる。また、ヘッダー８の更新を行うことができる。
【００２２】
なお、各９０度大曲がりＹ継手８１の分岐流入側の受け口８１ｂの口径は、その両端部の受け口８１ａの口径よりも小径であって、具体的には、分岐流入側の受け口８１ｂの口径は３０〜７５ｍｍ、両端部の受け口８１ａの口径は１００ｍｍである。
【００２３】
また、分岐流入側の受け口８１ａを互いに異なった方向に突設した場合を例示したが、同一方向に突設されていてもよい。
【００２４】
ヘッダー８の各９０度大曲がりＹ継手８１の分岐流入側の受け口８１ｂに、建物２内に設置されているトイレ２１、洗面所２２、洗濯機２３、浴室２４、台所２５などの排水設備に接続されている各排水枝管５１の流出側端部が接続されており、各排水枝管５１の一部は蛇腹状あるいは螺旋状とされ、曲げ配管ができるように可撓性が付与されている。
【００２５】
ここで、トイレ２１と接続されている排水枝管５１は、図２に示すように、内側基礎４１に設けられた孔４１ａを貫通して配管されている。
【００２６】
また、ヘッダー８と台所２５との間は、図２に示すように、排水枝管５１がＬ字状に配管されて接続されており、この排水枝管５１の曲がり部には９０度大曲がりＹ継手５２が接着接続され、この９０度大曲がりＹ継手５２の受け口内に栓体５３が着脱自在に装着されて掃除口とされている。この栓体５３の形状は９０度大曲がりＹ継手５２内にスムーズな流路が形成されるようになされている。
【００２７】
同様に、ヘッダー８と浴室２４との間を接続している排水枝管５１の曲がり部にも９０度大曲がりＹ継手５２が接着接続され、この９０度大曲がりＹ継手５２の受け口内に上記と同一の栓体５３が着脱自在に装着されて掃除口とされている。
【００２８】
このように、浴室２４および台所２５とヘッダー８との間を接続している両排水枝管５１の曲がり部に掃除口を設けることによって、この掃除口を通じて両排水枝管５１内の点検や掃除を行えるようになっている。
【００２９】
したがって、各種排水設備２１〜２５の排水は、排水枝管５１を経てヘッダーを構成する各９０度大曲がりＹ継手７１の分岐流入側の受け口８１ｂからヘッダー８内にスムーズに導かれて円滑に流出されることから、ヘッダー８の掃流性を向上させることができる。
【００３０】
なお、曲がり部に９０度大曲がりＹ継手５２を配管接続する代わりに、各排水枝管５１の直線部にＴ字状あるいはＹ字状の三方管継手を接続し、この管継手の分岐部の開口端内に栓体を装着し、この栓体を取り外して、各排水枝管５１内の点検や清掃を行えるようにしてもよい。
【００３１】
一方、ヘッダー８を構成する最下流側に接続された９０度大曲がりＹ継手８１の下流側の受け口８１ａには、９０度エルボ継手３１（図２参照）を介して排水主管３の上流側端部が接着接続され、この排水主管３の下流側端部が建物２の外周基礎４の外側地中に埋設された排水桝６の流入側受け口６１と接着接続されている。また、排水桝６の流出側受け口６２に排水主管３Ａが接着接続され、この排水主管３Ａの下流側端部が公共桝７の流入側受け口と接着接続され、この公共桝７を通じて建物２内の各排水設備２１〜２５にて生じた排水が下水道本管（図示せず）に排水されるようになっている。
【００３２】
このため、床下に作業者が入り込むか、あるいは、床面に設けた開口部（図示せず）を利用して排水主管３の点検や掃除を行える。
【００３３】
なお、排水主管３，３Ａはともに口径１００ｍｍの硬質塩化ビニル樹脂製のものである。
【００３４】
外周基礎４の孔４ａを貫通して屋外に延設された排水主管３の下流側先端と、建物２の外周基礎４の外側地中に埋設された排水桝６の流入側受け口６１との間は、図４に示すように、９０度大曲がりＹ継手３４、短管３５および９０度エルボ継手３６を介して接続されている。９０度大曲がりＹ継手３４の上端受け口３４１内には栓体３４２が着脱自在に装着されている。
【００３５】
地表面に露出している９０度大曲がりＹ継手３４は配管カバー３４ａにて覆われて保護されている。排水桝６の流出側受け口６２には排水主管３Ａの一端部が接続され、この排水主管３Ａの他端部が公共桝７の流入側接続部と接続されている。排水桝６の上端受け口６３には短管６４の下端が接続され、この短管６４の上端に掃除口用の蓋体６５が着脱自在に装着されている。
【００３６】
一方、前述したヘッダー８は、管軸方向の両端部に受け口８１ａを有するとともに、これらの両端部の受け口８１ａ間に分岐流入側の受け口８１ｂを有する複数個の９０度大曲がりＹ継手８１を管軸方向に短管８３を介して接続して構成したものを例示したが、図６に示すように、管軸方向の両端部の一方に受け口８１ａを、他方に挿し口８１ｃをそれぞれ有するとともに、これらの両端部の受け口８１ａおよび挿し口８１ｃ間に分岐流入側の受け口８１ｂを有する複数個の９０度大曲がりＹ継手８１Ａによってヘッダー８Ａを構成することもできる。この場合の隣接する９０度大曲がりＹ継手８１Ａは、一方の挿し口８１ｃに他方の受け口８１ａを管軸方向に順に差し込んで接続される。
【００３７】
このような９０度大曲がりＹ継手８１Ａからヘッダー８Ａを構成した場合、図５に示した９０度大曲がりＹ継手８１から構成されたヘッダー８と比較して全体長さが短縮されてコンパクトになることから、９０度大曲がりＹ継手８１から構成されたヘッダー８の作用効果に加えて、設置スペースの制約が少なくなる利点がある。
【００３８】
ところで、前述したヘッダー８を構成する９０度大曲がりＹ継手８１における両端部の受け口８１ａ，８１ａまたはヘッダー８Ａを構成する９０度大曲がりＹ継手８１Ａにおける両端部の受け口８１ａと挿し口８１ｃとは、軸芯が同一水平線上に位置したものを例示したが、図７に示すように、両端部の受け口８１ａ，８１ａの軸芯または両端部の受け口８１ａと挿し口８１ｃの軸芯が一定距離ａだけ段差を有するように偏心して形成することもできる。このように、両端部の受け口８１ａ，８１ａの軸芯または両端部の受け口８１ａと挿し口８１ｃの軸芯を偏心して形成すると、各種排水設備２１〜２５からの排水、特に、トイレ２１からの汚物を含む排水の逆流を防止することができる。
【００３９】
また、９０度大曲がりＹ継手８１，８１Ａの受け口８１ａと挿し口８１ｃの形状としては、断面円形状に限らず、図８に示すように断面卵形状であってもよい。９０度大曲がりＹ継手８１，８１Ａの受け口８１ａと挿し口８１ｃの形状を断面卵形状に形成すると、同一面積の円形状の受け口８１ａと挿し口８１ｃに比較して同一流量時の水位が上昇するため、掃流性がさらに良好となる。この場合、ヘッダー８，８Ａの流出側接続部となる受け口８１ａと挿し口８１ｃを卵形状に形成したことに対応して、９０度エルボ継手３１の両端部の受け口および排水主管３についても卵形状に形成すればよい。
【００４０】
さらに、前述した実施形態においては、１個の分岐流入側の受け口８１ｂを有する９０度大曲がりＹ継手８１，８１Ａでヘッダー８，８Ａを構成し場合を説明したが、図９に示すように、１８０度の間隔をおいて２個の分岐流入側の受け口８１ｂを対向して形成した９０度大曲がりＹ継手８１，８１Ａを順に接続してヘッダー８，８Ａを構成してもよい。このような９０度大曲がりＹ継手８１，８１Ａを採用した場合、何れか一方の分岐流入側の受け口８１ｂに、各種排水設備２１〜２５に接続された排水枝管５１の下流側端部を接続することができることから、配管設計の自由度が向上する。この場合、排水枝管５１を接続しない側の分岐流入側の受け口８１ｂには、栓体８４を着脱自在に装着することにより、必要に応じて栓体８４を離脱させて各９０度大曲がりＹ継手８１，８１Ａの保守点検や清掃を行うことができる。この場合、栓体８４としては、分岐流入側の受け口８１ｂに連なる枝管形状に対応して形成すれば、死水の発生を防止することができるとともに、排水を円滑に流出させることができる。
【００４１】
また、ヘッダー８，８Ａの支持方法としては、図１０に示すように、外周基礎４の内面に固定した金属製受け板４２にて支持して複数の締め付けバンド４３にて固定するようにしてもよい。また、図１１に示すように、床面材４４の裏面側に存在している根太４５を利用し、この根太４５の下面にヘッダー８，８Ａを締め付けバンド４３にて固定するようにしてもよい。さらに、図１２に示すように、外周基礎４の内側に形成した防湿コンクリート４６を利用し、このコンクリート４６面上にヘッダー８，８Ａを締め付けバンド４３にて支持・固定するようにしてもよい。
【００４２】
前述した実施形態では、排水管路を構成している排水主管３、ヘッダー８、８Ａ、排水枝管５１などを硬質塩化ビニル樹脂製のものとしたが、ポリエチレン樹脂製のものとしてもよい。その際、接続方式としては、ゴム輪方式、融着方式、溶着方式などを採用すればよい。
【００４３】
【発明の効果】
以上のように本発明によれば、各種排水設備からの排水は、排水枝管を経てヘッダーに集められた後、排水主管、排水枡、排水主管および公共枡を経て下水本管に流出することから、建物の外周基礎に形成する貫通孔が少なくて済み、外周基礎の強度低下が生じない。また、排水主管は建物の床下に露出配管されているので、掘削工事などの土工費用を削減できるとともに、排水主管の部分的補修を容易に行うことができる。しかも、建物の外周基礎の外側の宅地内に埋設する排水桝は一つで済むので、材料費や施工費を削減できるとともに、建物の外周基礎の外側の宅地内に排水主管や多数の排水桝を埋設する必要がないので、狭小な宅地であっても、宅地を有効に活用できる。
【００４４】
また、ヘッダーが管軸方向の両端部の一方に受け口を、他方に挿し口を有するとともに、これらの両端部の受け口および挿し口間に分岐流入側の受け口を有する複数個の９０度大曲がりＹ継手を管軸方向に順に受け口と挿し口とを接着接続して構成され、９０度大曲がりＹ継手の両端部の受け口と挿し口が、下部内面の曲率半径が上部内面の曲率半径よりも小さくされた断面卵形状に形成され、９０度大曲がりＹ継手の分岐流入接続部は、前記卵形断面の側部の曲率半径の大きい上部側に水平に配置されていることにより、各種排水設備からの排水を円滑に流出させることができ、掃流性を向上させることができる。
【図面の簡単な説明】
【図１】  本発明の住宅用排水システムの一実施形態を模式的に示す説明図である。
【図２】  図１の要部を示す横断面図である。
【図３】  図２の要部を示す縦断面図である。
【図４】  図２の要部を示す拡大説明図である。
【図５】  図２のヘッダーを一部破断して示す拡大平面図である。
【図６】  ヘッダーの他の実施形態を一部破断して示す拡大平面図である。
【図７】  図５および図６に示したヘッダーの変形例を模式的に示す平面図およびそのＡ−Ａ線断面図である。
【図８】  図５および図６に示したヘッダーの他の変形例を模式的に示す平面図およびそのＢ−Ｂ線断面図である。
【図９】  図５および図６に示したヘッダーのもう一つの変形例を示す横断面図である。
【図１０】  ヘッダーの支持方法を示す説明図である。
【図１１】  ヘッダーの他の支持方法を示す説明図である。
【図１２】  ヘッダーのもう一つの支持方法を示す説明図である。
【図１３】  従来の住宅用排水システムを模式的に示す説明図である。
【符号の説明】
１  宅地
２  建物
２１  トイレ
２２  洗面所
２３  洗濯機
２４  浴室
２５  台所
３，３Ａ  排水主管
３１  ９０度エルボ継手
４  外周基礎
４ａ  孔
５１  排水枝管
６  排水桝
７  公共桝
８，８Ａ  ヘッダー
８１，８１Ａ  ９０度大曲がりＹ継手
８１ａ  流出側の受け口
８１ｂ  分岐流入側の受け口
８１ｃ  流出側の挿し口
８２  蓋体
８３  短管
８４  栓体
【図１】
0004700176.tif 000002
【図２】
0004700176.tif 000003
【図３】
0004700176.tif 000004
【図４】
0004700176.tif 000005
【図５】
0004700176.tif 000006
【図６】
0004700176.tif 000007
【図７】
0004700176.tif 000008
【図８】
0004700176.tif 000009
【図９】
0004700176.tif 000010
【図１０】
0004700176.tif 000011
【図１１】
0004700176.tif 000012
【図１２】
0004700176.tif 000013
【図１３】
0004700176.tif 000014